(57)【要約】      （修正有）【課題】殺菌レベルを目的とした場合の洗浄に至っていないことが分かってきたため、オゾン水噴射機能付きポータブルビデを提供する。【解決手段】ポータブルタンク１より水が引き込めるように、洗浄用ノズル６の手前に、オゾン水生成ユニット２を組み込み、入水口３より水が取り込めるようにする。吸気口４より取り入れられた空気を元に、オゾン水生成ユニットで発生させたオゾンと取り込まれた水を攪拌し、オゾン水を生成し、オゾン水生成ユニット内部に設けられた乾電池あるいはバッテリーからの電力を利用してモーターを回転させることにより、出水口５より洗浄用ノズルに戻し、洗浄したい体の部位に、生成直後のオゾン水が噴射出来る様にする。さらにその必要性に応じて洗浄用ノズルが交換可能で、その洗浄用ノズルがオゾン水によって洗浄が出来るように洗浄用の筒を設ける。【選択図】図２
2018149028.tif 000002
【特許請求の範囲】
【請求項１】
オゾン水噴射機能付きポータブルビデに水を供給する入水口と、
前記オゾン水噴射機能付きポータブルビデの洗浄用ノズルの出水口と、
電力によって発生させたオゾンを、前記入水口から取り入れられた水に加えて、オゾン水を生成するオゾン水生成ユニットと、
を有するポータブルビデ。
【請求項２】
前記オゾン水生成ユニットがオゾンを発生するための電力は、前記入水口から取り入れられた水の量に対応させることによって、オゾン水のオゾン濃度を一定に保つ
請求項１に記載のポータブルビデ。
【請求項３】
吸気口がポータブルビデの操作中も、その操作によって塞がれたりしない位置に配置された
請求項１から２に記載のポータブルビデ。
【請求項４】
洗浄用ノズルが清潔に保たれるように、その洗浄用ノズルの先端もオゾン水を使って洗浄が出来る機能を有した
ポータブルビデ。
【請求項５】
洗浄用ノズル部分がその必要性に応じて交換可能なポータブルビデ。
【発明の詳細な説明】
【技術分野】
【０００１】
本発明は、オゾン水噴射機能付きポータブルビデに関する。
【背景技術】
【０００２】
従来、ポータブルビデはあったが、オゾン水を用いてのポータブルビデはなかった。
【先行技術文献】
【特許文献】
【０００３】
【特許文献１】特開平８‐２７７５６４号公報
【発明の概要】
【発明が解決しようとする課題】
【０００４】
ポータブルビデは、洗浄したい体の部位の汚れを、水圧を用いて洗浄することを目的としているが、単に水圧を用いての洗浄では、ウィルスや細菌を殺菌レベルでの洗浄を目的とした場合、一般的に難しいとされてきていた。
近年では、臀部や陰部等の体の粘膜部分からの病気の感染が多いことも分かってきており、この粘膜部分を清潔に保ち、そこに存在する雑菌数自体を減少させて、感染そのものを防ぐことにより、多くの病気の予防につながることが期待され始めている。
【０００５】
本発明の目的は、以上の様な点を踏まえ、殺菌レベルを目的とした洗浄システムを有したポータブルビデを提供することである。
【課題を解決するための手段】
【０００６】
ポータブルビデの洗浄用ノズルの手前に、今回開発されたオゾン水生成ユニットを組み込み、人体には安全とされる一定の濃度に保たれたオゾン水の生成を行い、洗浄したい体の部位に直接噴射することにより、オゾン水による洗浄を行う。
【０００７】
オゾン水の特徴として、ある一定濃度以上のオゾン水は、ウィルスを不活性化させたり、人間の細胞膜より薄い細菌の細胞膜に至っては、オゾン水効果による細胞膜破壊による殺菌効果が期待できる。
【０００８】
なお、今回開発されたオゾン水生成ユニットは、乾電池などのバッテリーからの電力を利用してオゾンを発生させる無声放電方式を採用しており、そこにポータブルタンクを設け、そのポータブルタンクから、オゾン水生成ユニットの入水口より水を取り込み、オゾン水生成ユニットに設けられた吸気口より取り入れた空気を元に、オゾン生成ユニットで発生させたオゾンと、その水を攪拌させて一定濃度のオゾン水を生成し、ユニット内部に設けられたモーターを回転させる。その動力を用いて水車を回転させて出水口より洗浄用ノズルへとオゾン水を供給し、噴射出来るようにしている。
【０００９】
このような構造により、オゾン水の生成直後に洗浄用ノズルからオゾン水を噴射することが可能となり、また、時間とともに濃度が不安定になりがちとされるオゾン水の濃度も安定した状態で、かつ人体には安全な濃度を保ったままでの噴射が可能となる。
【発明の効果】
【００１０】
人体には安全な濃度に保たれたオゾン水を、洗浄したい体の部位に直接噴射することにより、その部位のウィルスの不活性化や、細菌の細胞膜を破壊することによる事実上の死滅状態に陥らせ、活動不能な状態に追いやることができる。
また、完全に殺菌しきれず臀部や陰部等で生き残ったウィルスや細菌も、増殖可能な状態に至るまでの一定期間、事実上の活動不能状態に陥ることが予想され、人体への感染等の心配も少なくなることが期待できる。
【図面の簡単な説明】
【００１１】
【図１】本発明の上部平面図である。
【図２】本発明の右側面図である。
【図３】本発明の左側面図である。
【図４】洗浄用ノズルの洗浄用の筒の正面斜視透視図である。
【図５】洗浄用ノズルの洗浄用の筒の断面図である。
【図６】用途別洗浄用ノズルの膣内洗浄用ノズルの斜視図である。
【発明を実施するための形態】
【００１２】
図１は、本発明の上部平面図である。
【００１３】
水の取り入れ口を設け開閉式の蓋を備えたポータブルタンク（１）からオゾン水生成ユニット（２）に水が取り込めるように、洗浄用ノズルの手前に今回開発されたオゾン水生成ユニット（２）を組み込み、オゾン水生成ユニット（２）の入水口（３）より水が取り込めるようにする。さらにオゾン水生成ユニット（２）の操作時に、指や手で塞がれる心配がない位置に設けられた吸気口（４）より取り入れられた空気を元に、オゾン水生成ユニット（２）で発生させたオゾンと、取り込まれた水を攪拌し、オゾン水を生成する。そのオゾン水をオゾン水生成ユニット（２）内部に設けられたモーターを回転させて、その動力を用いて水車を回し、出水口（５）より洗浄用ノズル（６）に戻し、洗浄したい体の部位に直接噴射が出来るようにする。
ここで、吸気口（４）は、図１のように操作時に指や手で塞がれる心配がない位置である、洗浄ノズル（６）側に開口させている。
これによって、ユーザが誤って吸気口をふさぐことが無いという効果がある。
また、図１のポータブルビデは、その構造からポータブルタンク（１）が基本的に必須である。そのポータブルタンク（１）の取り付けを阻害しない位置として、洗浄ノズル（６）側が最適である。もちろん、構造によっては、その他の位置、方向であっても問題はない。
また、ポータブルタンク（１）はオゾン水生成ユニット（２）に対して、脱着可能することがより適切である。ポータブルタンク（１）はオゾン水生成ユニット（２）との水の通路には例えば、逆止弁を設けることによって、ポータブルタンク（１）のみを取りまわした際にも水漏れを防ぐことが可能となる。
これによって、ポータブルタンク（１）のみで水の供給が出来るため、他人にポータブルビデを使っているということを察知されないという利点もある。
【００１４】
また、オゾン水の濃度を一定に保つために、ポータブルビデ本体に設けられた洗浄水の強弱の流量調整の操作に連動するように電気抵抗を変化させ、オゾン水生成ユニット（２）内部に設けられた無声放電方式によるオゾン発生装置に流れる電流の強さも正比例に変化させて、発生させるオゾン量の増減の調整を行い、一定濃度のオゾン水の生成を行えるように可変式電流調整器（７）を設ける。
具体的には、洗浄機能付き便座の洗浄水の流量調整ボタンが、強、中、弱とあった場合に、弱の流量の水勢をボタン操作等によって選択した場合には、その水勢に連動させて、乾電池から供給されている電力に対して電気抵抗値の設定を大きくすることにより、オゾン水生成ユニット（２）内部のオゾン発生装置に流れる電流の強さも弱くなるように設定する。
このように少ない洗浄水の弱の流量ダイヤルに合わせた電流の強さ調整を行うことにより、オゾン水生成ユニット（２）内部のオゾン発生装置に供給される電流の強さも、その水勢に応じて弱くなるように設定し、発生させるオゾンの量も減少させる。同時にオゾン生成ユニット（２）の内部に設けられたモーターに流れる電流も弱くすることにより、発生させるオゾン量に応じて流れる水量も少なく流れるようにする。
このようにすることにより、少ない洗浄水の流量に見合ったオゾンの発生量となるため、生成されるオゾン水の濃度も一定濃度に保たれることとなる。
【００１５】
また、洗浄水の流量の多い流量の水勢をボタン操作等によって選択した場合には、この水勢に連動させて電気抵抗値を小さくなるように設定して、オゾン水生成ユニット（２）に供給される電流の強さも強くなるように電気抵抗値の設定を行う。
こうすることによりオゾン水生成ユニット（２）内部のオゾン発生装置に供給される電流の強さも強くなり、オゾン発生装置に流れる電流も増えて、その結果、発生させるオゾン量も多くなり、増加した洗浄水の流量に見合ったオゾンの発生量となって、生成されるオゾン水の濃度も一定濃度に保たれることとなる。同時にオゾン生成ユニット（２）の内部に設けられたモーターに流れる電流も強くすることにより、発生させるオゾン量に応じて水量も多く流れるようにする。
【００１６】
オゾン発生装置に供給する、可変式電流調整器（７）によるユーザによる調整だけではなく、例えば、オゾン水生成ユニット（２）内部を流れる水の流量を水車を使うなどして水量を検出し、それに応じてオゾン発生のための電力を調整することも可能である。
【００１７】
以上のような構造により生成された一定濃度のオゾン水を、オゾン水生成ユニット（２）の出水口（５）より洗浄用ノズル（６）に戻し、洗浄したい体の部位に一定濃度のオゾン水が直接噴射出来るようにしたものである。
【００１８】
また、お尻の洗浄に加え膣内の洗浄を試みた場合、放射状にオゾン水が噴射する方式の洗浄用ノズルに形状を変える必要が出てくるため、出水口（５）にルアーロック方式や、ねじ込み方式などの方法を用いて洗浄用ノズル（６）の交換が出来るようにする。
【００１９】
洗浄用ノズル（６）の先端を清潔な状態に保つために洗浄機能を設ける。具体的には洗浄用ノズル（６）を、オゾン水を用いて洗浄が行えるように、洗浄ノズル（６）を洗浄するための筒（８）を用意する。その筒の太さは洗浄用ノズルより太めのものとし、その片方を塞ぎ、塞いだ面を下にして、その内側に斜め上方に向けてスパイラル状の凹凸（９）を設ける。その筒の中に洗浄用ノズルを挿入し、そのままオゾン水を発生させる。その発生させたオゾン水の水流によって、前述に記した斜め上方方向に施されたスパイラル状の凹凸（９）に沿って、オゾン水が回転力を伴って勢いよく筒の上方に溢れ出す。このように洗浄用ノズル（６）の先端をオゾン水によって洗浄することにより、清潔な状態に保つことが可能となる。またノズルの洗浄時に手がオゾン水によって濡れたりすることがないように、前述の筒（８）よりさらにひとまわり大きな底が塞がれた筒（１０）の下面と、前述の筒（８）の下面を固定することによって、洗浄時に溢れ出したオゾン水を筒（８）と筒（１０）の隙間にある程度溜めることが可能となり、その隙間の一部に排水口を設けるならば、洗浄後のオゾン水はその排水口を通って排水されるため、洗浄中のオゾン水によって手が濡れることもなくなる。
【００２０】
また、本発明は以上の実施形態に限定されるものではなく、オゾンを発生させる方法に至っては、電気分解方式や紫外線ランプ方式などの他の方法を用いてもよい。洗浄用ノズルの交換方式に至っては、発生させたオゾン水が漏れないならば差し込み式など他の形式の方法を用いてもよい。
【００２１】
＜変形例＞
ここで、オゾン水生成ユニット（２）の内部のオゾン発生装置は、オゾン水生成ユニット（２）の内部を流れる水流によって水車等で発電し、その電力をオゾン生成のための電力として使用することもできる。この場合、ポータブルタンクに柔軟性のある柔らかい材質を用いることにより手で握ることが出来るようにして、水圧を人工的に作り出し、水流を作り出すことにより、電源のない場所でも使用が可能となる。
もちろん、すべての電力をこの水車等から供給する必要はなく、外部電力で補てんすることも、全ての電力を外部電力で供給することも可能である。
この場合、可変式電流調整器（７）によって調整しなくても、水の量が少ない場合は、オゾンの発生量を減らすことができ、逆に水の量が多い場合はオゾンの発生量を増やすことが自動的にできる。
これによって、オゾンの濃度を比較的一定に保つことも可能である。
また、この発電のために使用する水車は、ポータブルタンクから供給された水と、発生させたオゾンを結果的に攪拌する作用もある為、オゾンをより一定に攪拌することとなる。
【００２２】
図７から図１０は、オゾンを使用した殺菌の効果の分析結果である。
この分析は、日本食品分析センターに依頼した。
これらの結果から、オゾンは、極めて効果的な殺菌作用があることが分かる。
また、膣内の洗浄を行う場合、一般的な膣内ＰＨは約４％から５％に満たない弱酸性であるとされており、これは発生させたオゾン水のＰＨ濃度とほぼ一緒の濃度であるため、精製水のようなＰＨが中性の７．４前後のものを使っての洗浄とは違い、膣内のＰＨバランスを大きく崩してしまう心配も少ないと考えられる。
【符号の説明】
【００２３】
（１）ポータブルタンク    
（２）オゾン水生成ユニット
（３）オゾン水生成ユニットの入水口
（４）吸気口
（５）オゾン水生成ユニットの出水口
（６）洗浄用ノズル
（７）水の流量に応じて電流が流れる可変式電流調整器
（８）筒
（９）スパイラル状の凹凸
（１０）筒
（１１）排水口
（１２）膣内洗浄用ノズル
【図１】
2018149028.tif 000003
【図２】
2018149028.tif 000004
【図３】
2018149028.tif 000005
【図４】
2018149028.tif 000006
【図５】
2018149028.tif 000007
【図６】
2018149028.tif 000008